【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
基板と、
前記基板上方に設けられた積層体と、を含み、
前記積層体は、前記基板上方に設けられた第１ミラー層と、前記第１ミラー層上方に設けられた活性層と、前記活性層上方に設けられた第２ミラー層と、を含み、
平面視において、前記積層体は、第１幅を有する第１部分と、第２幅を有する第２部分と、前記第１部分と前記第２部分との間に設けられ、前記第１幅または前記第２幅よりも広い第３幅を有する第３部分と、を有し、
前記第１部分の少なくとも一部を覆う樹脂層が設けられていることを特徴とする面発光レーザー。
【請求項２】
請求項１において、
前記樹脂層は、前記第１部分の少なくとも前記一部の上面と、前記上面と連続し、前記第１部分の少なくとも前記一部の第１側面と、前記上面と連続し、前記第１部分の少なくとも前記一部の第２側面と、に設けられていることを特徴とする面発光レーザー。
【請求項３】
請求項１において、
前記樹脂層は、前記第１部分の前記一部を覆うことを特徴とする面発光レーザー。
【請求項４】
請求項３において、
前記樹脂層は、前記第１部分の前記一部の上面と、前記上面と連続し、前記第１部分の前記一部の第１側面と、前記上面と連続し、前記第１部分の前記一部の第２側面と、に設けられていることを特徴とする面発光レーザー。
【請求項５】
請求項１において、
前記樹脂層は、前記第１部分の全体を覆うことを特徴とする面発光レーザー。
【請求項６】
請求項５において、
前記樹脂層は、前記第１部分の上面全体と、前記第１部分の側面全体と、に設けられていることを特徴とする面発光レーザー。
【請求項７】
請求項１において
前記樹脂層は、前記積層体の側面全体と、前記第１部分の上面の少なくとも一部と、前記第２部分の上面の少なくとも一部と、に設けられていることを特徴とする面発光レーザー。
【請求項８】
請求項７において、
前記第１部分の前記上面の前記一部は、前記第１部分の端に位置し、
前記第２部分の前記上面の前記一部は、前記第２部分の端に位置することを特徴とする面発光レーザー。
【請求項９】
請求項７において、
前記樹脂層は、前記第１部分の上面全体と、前記第２部分の上面全体と、に設けられていることを特徴とする面発光レーザー。
【請求項１０】
請求項１ないし９のいずれか１項において、
前記樹脂層は、前記第３部分の上面全体に設けられておらず、
前記第３部分の上面全体に、開口部を有する電極が設けられていることを特徴とする面発光レーザー。 
【請求項１１】
基板と、
前記基板上方に設けられた積層体と、を含み、
前記積層体は、前記基板上方に設けられた第１ミラー層と、前記第１ミラー層上方に設けられた活性層と、前記活性層上方に設けられた第２ミラー層と、を含み、
平面視において、前記積層体は、第１幅を有する第１歪付与部と、第２幅を有する第２歪付与部と、前記第１歪付与部と前記第２歪付与部との間に設けられ、前記第１幅または前記第２幅よりも広い第３幅を有し前記活性層で発生した光を共振させる共振部と、を有し、
前記第１歪付与部の少なくとも一部を覆う樹脂層が設けられていることを特徴とする面発光レーザー。
【請求項１２】
請求項１１において、
前記樹脂層は、前記第１歪付与部の少なくとも前記一部の上面と、前記上面と連続し、前記第１歪付与部の少なくとも前記一部の第１側面と、前記上面と連続し、前記第１歪付与部の少なくとも前記一部の第２側面と、に設けられていることを特徴とする面発光レーザー。
【請求項１３】
請求項１１において、
前記樹脂層は、前記第１歪付与部の前記一部を覆うことを特徴とする面発光レーザー。
【請求項１４】
請求項１３において、
前記樹脂層は、前記第１歪付与部の前記一部の上面と、前記上面と連続し、前記第１歪付与部の前記一部の第１側面と、前記上面と連続し、前記第１歪付与部の前記一部の第２側面と、に設けられていることを特徴とする面発光レーザー。
【請求項１５】
請求項１１において、
前記樹脂層は、前記第１歪付与部の全体を覆うことを特徴とする面発光レーザー。
【請求項１６】
請求項１５において、
前記樹脂層は、前記第１歪付与部の上面全体と、前記第１歪付与部の側面全体と、に設
けられていることを特徴とする面発光レーザー。
【請求項１７】
請求項１１において
前記樹脂層は、前記積層体の側面全体と、前記第１歪付与部の上面の少なくとも一部と、前記第２歪付与部の上面の少なくとも一部と、に設けられていることを特徴とする面発光レーザー。
【請求項１８】
請求項１７において、
前記第１歪付与部の前記上面の前記一部は、前記第１歪付与部の端に位置し、
前記第２歪付与部の前記上面の前記一部は、前記第２歪付与部の端に位置することを特徴とする面発光レーザー。
【請求項１９】
請求項１７において、
前記樹脂層は、前記第１歪付与部の上面全体と、前記第２歪付与部の上面全体と、に設けられていることを特徴とする面発光レーザー。
【請求項２０】
請求項１１ないし１９のいずれか１項において、
前記樹脂層は、前記共振部の上面全体に設けられておらず、
前記共振部の上面全体に、開口部を有する電極が設けられていることを特徴とする面発
光レーザー。
【請求項２１】
請求項１ないし２０のいずれか１項の面発光レーザーを含む原子発振器。 
【請求項２２】
基板と、
前記基板上方に設けられた積層体と、
前記積層体の少なくとも一部を覆う樹脂層と、を含み、
前記積層体は、
第１ミラー層と、
第２ミラー層と、
前記第１ミラー層と前記第２ミラーとの間に設けられた活性層と、を含み、
平面視において、前記積層体は、第１部分、第２部分、および第３部分を含み、前記第１部分と前記第２部分は、前記第３部分を介し、第１方向に沿って対向して配置され、
前記第１部分は、前記第１方向と直交する第２方向において第１幅を有し、前記第２部分は、前記第２方向において第２幅を有し、前記第３部分は、前記第２方向において第３幅を有し、前記第３幅は、前記第１幅あるいは前記第２幅より大きく、
平面視において、前記積層体は、前記第１方向において第４幅を有し、前記第４幅は、前記第３幅より大きく、
前記樹脂層は、前記第１部分の少なくとも一部を覆い、
前記積層体の前記第１部分、前記第２部分、および前記第３部分の各々は、前記第１ミラー層、前記活性層、および前記第２ミラー層を含むことを特徴とする面発光レーザー。
【手続補正２】
【補正対象書類名】明細書
【補正対象項目名】００４９
【補正方法】変更
【補正の内容】
【００４９】
このような原子発振器では、本発明に係る面発光レーザーを含むため、例えば、λ／４板を介して、ガスセルに円偏光の光を安定して照射することができ、原子発振器の周波数安定性を高めることができる。
本発明に係る面発光レーザーは、
基板と、
前記基板上方に設けられた積層体と、
前記積層体の少なくとも一部を覆う樹脂層と、を含み、
前記積層体は、
第１ミラー層と、
第２ミラー層と、
前記第１ミラー層と前記第２ミラーとの間に設けられた活性層と、を含み、
平面視において、前記積層体は、第１部分、第２部分、および第３部分を含み、前記第１部分と前記第２部分は、前記第３部分を介し、第１方向に沿って対向して配置され、
前記第１部分は、前記第１方向と直交する第２方向において第１幅を有し、前記第２部分は、前記第２方向において第２幅を有し、前記第３部分は、前記第２方向において第３幅を有し、前記第３幅は、前記第１幅あるいは前記第２幅より大きく、
平面視において、前記積層体は、前記第１方向において第４幅を有し、前記第４幅は、前記第３幅より大きく、
前記樹脂層は、前記第１部分の少なくとも一部を覆い、
前記積層体の前記第１部分、前記第２部分、および前記第３部分の各々は、前記第１ミラー層、前記活性層、および前記第２ミラー層を含む。